(57)【要約】【課題】ガイドシューと押え板との間に隙間があっても、カタカタと騒音が発生しにくく、ガイドシューの寿命が長く、しかも取替えの簡便なエレベーターのガイドシューの組付構造を提供する。【解決手段】エレベーターの昇降空間に相対向して立設したガイドレール１、１とこのガイドレール１、１に摺動自在に乗りかご２の外側面に固着された断面略コ字状をしたガイド本体３のスライド溝部４にガイドシュー５を内装するとともにこのガイド本体３の上下端部を押え板６ａ、６ｂとで固着して摺動自在としてなるガイド７とからなるものである。このガイド本体３のスライド溝部４の内壁面にガイドピン８を突出し、このガイドピンに板状のガイドシュー５の裏面に形成した半貫通の取付孔９とを嵌着するものである。【選択図】        図１
2004315213.tif 000002
【特許請求の範囲】
【請求項１】
エレベーターの昇降空間に立設したガイドレールと該ガイドレールに摺動自在に乗りかごの外側面に固着されたガイド本体のスライド溝部にガイドシューを内装するとともに該ガイド本体の上下端部を押え板で固着して摺動自在としてなるガイドとからなるエレベーターのガイドシューの組付構造において、該ガイド本体のスライド溝部の内壁面にガイドピンを突出し、該ガイドピンに板状のガイドシューの裏面に形成した半貫通の取付孔とを嵌着することを特徴とするエレベーターのガイドシューの組付構造。
【請求項２】
上記ガイドシューが断面コ字状のスライド溝部の内壁面に板状に形成され、該板体に設けられた半貫通の取付孔が形成されたガイドシューをガイドピンに各々独立した状態で嵌着することを特徴とする請求項１記載のエレベーターのガイドシューの組付構造。
【請求項３】
上記ガイドシューが断面コ字状のスライド溝部の内壁面にコ字状に形成され、該コ字状に設けられた半貫通の取付孔が裏面に形成されたガイドシューをガイドピンに嵌着することを特徴とする請求項１記載のエレベーターのガイドシューの組付構造。
【請求項４】
上記ガイドシューの高さが、ガイド本体のスライド溝部の高さより短く形成され、該ガイド本体の上下端部を押え板で固着することを特徴とする請求項１乃至３のいずれかに記載のエレベーターのガイドシューの組付構造。
【請求項５】
上記ガイドシューの材質が、合成樹脂製であることを特徴とする請求項１乃至４のいずれかに記載のエレベーターのガイドシューの組付構造。
【発明の詳細な説明】
【０００１】
【発明の属する技術分野】
本発明は、主に老人や病人等が使用する住宅内に設置される家庭用の油圧や空気圧によるエレベーターのガイドシューの組付構造に関するものである。
【０００２】
【従来の技術】
従来、図８に例示したように、断面コ字状のガイド２０のハウジング２１内の下端にフランジ部２２を形成し、このフランジ部２２に防振ゴム２３とガイドシュー２４からなるガイドレール挿通部２５を形成し、このガイドレール挿通部２５が昇降路に形成されているガイドレール（図示せず）に挿着され、このガイド２０が昇降自在となっていた。このとき、ガイドレール挿通部２５の上端は、ガイドレール挿通部２５が脱落しないようにプレート２６を介してボルト２７で螺着するものがあった。（例えば特許文献１が知られている。）
【０００３】
また、図９、１０のように、ガイド２０が断面コ字状をしたブロック状のガイドレール挿通部２５と押え板（プレート）２６とからなり、このガイドレール挿通部２５の内壁面に摩耗防止のために二枚の独立した板状のシュー２４、２４を挿着するものがあった。
【０００４】
しかしながら、特許文献１のようなガイド２０にあっては、ハウジング２１形状にフランジ部２２が必要となり設計が複雑となり、またガイドレール挿通部２５が防振ゴム２３とガイドシュー２４からなるシュー組立体の上端に金属部分が露出するのでガイド２０が昇降する際に、カタカタと騒音が発生しやすくなるとともにシュー２４の構造が複雑なものであった。
【０００５】
また、図９，１０に示したようなガイドシューの組付構造では、ガイド２０がガイドシュー２４と押え板２６とからなり、このガイドシュー２４と押え板２６との高さ間に隙間があるとエレベータの昇降時にこのガイドシュー２４が上下動しカタカタと騒音が発生しやすくなり、この騒音防止のためにガイドシュー２４の寸法を長く形成することによって内方に撓んでガイドレールに接触して磨耗しやすくなり、ガイドシュー２４の寿命が短くなり頻繁に交換しなければならないという問題があった。
【０００６】
【特許文献１】
特開２００１−２６１２５９号公報（第１頁〜第３頁、図１〜図３）
【０００７】
【発明が解決しようとする課題】
本発明は上記問題点の解決を目的とするものであり、ガイドシューと押え板との間に隙間があっても、カタカタと騒音が発生しにくく、ガイドシューの寿命が長く、しかも取替えの簡便なエレベーターのガイドシューの組付構造を提供するものである。
【０００８】
【課題を解決するための手段】
本発明の請求項１記載のエレベーターのガイドシューの組付構造は、エレベーターの昇降空間に立設したガイドレールと該ガイドレールに摺動自在に乗りかごの外側面に固着されたガイド本体のスライド溝部にガイドシューを内装するとともに該ガイド本体の上下端部を押え板で固着して摺動自在としてなるガイドとからなるエレベーターのガイドシューの組付構造において、該ガイド本体のスライド溝部の内壁面にガイドピンを突出し、該ガイドピンに板状のガイドシューの裏面に形成した半貫通の取付孔とを嵌着することを特徴とするものである。
【０００９】
したがって、ガイドピンに板状のガイドシューの裏面に形成した半貫通の取付孔とを嵌着することにより、ガイドシューと押え板との高さ間に隙間があっても、カタカタと騒音が発生しにくく、ガイドシューの寿命が長く、しかも取替えの簡便なエレベーターのガイドシューの組付構造である。
【００１０】
本発明の請求項２記載のエレベーターのガイドシューの組付構造は、請求項１記載のガイドシューが断面コ字状のスライド溝部の内壁面に板状に形成され、該板体に設けられた半貫通の取付孔が形成されたガイドシューをガイドピンに各々独立した状態で嵌着することを特徴とするものである。
【００１１】
したがって、一種類の長さ、厚さ、高さのガイドシューを形成しておけば、三面のいずれにも取り付けが可能となり、ガイドシューが一種類で済むので経済的である。また、取替えの簡便なエレベーターのガイドシューの組付構造である。
【００１２】
本発明の請求項３記載のエレベーターのガイドシューの組付構造は、請求項１記載のガイドシューが断面コ字状のスライド溝部の内壁面にコ字状に形成され、該コ字状に設けられた半貫通の取付孔が裏面に形成されたガイドシューをガイドピンに嵌着することを特徴とするものである。
【００１３】
したがって、この断面コ字状のガイドシューを用いることにより、一つのガイドシューでもって挿着可能となるのでガタツキもなく取替えも簡便である。
【００１４】
本発明の請求項４記載のエレベーターのガイドシューの組付構造は、請求項１乃至３のいずれかに記載のガイドシューの高さが、ガイド本体のスライド溝部の高さより短く形成され、このガイド本体の上下端部を押え板で固着することを特徴とするものである。
【００１５】
したがって、ガイドシューの高さが、ガイド本体のスライド溝部の高さより短く形成されているので、押え板によって簡単に蓋をすることができる。
【００１６】
本発明の請求項５記載のエレベーターのガイドシューの組付構造は、請求項１乃至４のいずれかに記載のガイドシューの材質が、合成樹脂製であることを特徴とするものである。
【００１７】
したがって、ガイドシューに摩擦力が発生しにくくスムーズなエレベータの昇降が可能となり、ガイドレールの摩耗も少ないものである。
【００１８】
【発明の実施の形態】
図１乃至図７に示したように、本発明の一実施形態に係わるエレベーターのガイドシューの組付構造であって、図１は、ガイドシューの概略を示す分解斜視図であり、図２は、ガイドシューの形状を示す要部の斜視図であり、図３は、図２のＸ−Ｘ縦断面図である。図４は、図１の組立て状態においてスライド溝部方向から見た平面図、図５は、異なる実施の形態に係わるガイドシューの縦断面図、図６は、さらに異なる実施の形態に係わるガイドシューの縦断面図、図７はガイドシューとガイドレールとの取付け状態を示す概略の斜視図である。
【００１９】
図１及び図７に示したように、本発明のエレベーターのガイドシューの組付構造は、エレベーターの昇降空間に相対向して立設したガイドレール１、１とこのガイドレール１、１に摺動自在に乗りかご２の外側面に固着された断面略コ字状をした鉄、アルミニウム、ステンレス等の金属製や合成樹脂製のガイド本体３のスライド溝部４にガイドシュー５を内装するとともにこのガイド本体３の上下端部を鉄、アルミニウム、ステンレス等の金属製や合成樹脂製の押え板６ａ、６ｂとで固着して摺動自在としてなるガイド７とからなるものである。
【００２０】
このガイド本体３のスライド溝部４の内壁面にガイドピン８を突出し、このガイドピンに板状のガイドシュー５の裏面に形成した半貫通の取付孔９とを嵌着するものである。
【００２１】
このとき、図２及び図３に示したように、板状のガイドシュー５は、アクリル樹脂、ポリプロピレン樹脂、ポリエステル樹脂、ポリカーボネート等の耐摩耗性のある合成樹脂等が選ばれる。一実施形態では、同一のガイドシュー５を３枚用意してこのガイドシュー５の裏面に設けられている半貫通の取付孔９をガイド本体３のスライド溝部４の三面の内壁面に形成されているガイドピン８に各々独立して嵌着される。
【００２２】
このように、一種類の長さ、厚さ、高さのガイドシュー５を形成しておけば、図４に示したように、スライド溝部４の三面のいずれにも取り付けが可能となり、ガイドシューが一種類で済むので経済的である。また、ガイドシュー５が摩耗しても取替えの簡便なエレベーターのガイドシューの組付構造である。
【００２３】
さらに、ガイドシュー５の高さが、ガイド本体３のスライド溝部４の高さより短く形成され、このガイド本体３の上下端部を押え板６ａ、６ｂでボルト１０で固着されているので、ボルト１０の操作により押え板６ａ、６ｂの開け閉めが簡単となり、ガイドシュー５の交換が簡便である。
【００２４】
そして、このようにガイド本体３のスライド溝部４の高さより短くガイドシュー５の高さが形成されていても、ガイドピン８とガイドシュー５の裏面に形成した半貫通の取付孔９とが嵌着されているのでエレベーターの昇降による衝撃に対してもガイドシュー５の上下動によるカタカタ騒音を生じることもない。
【００２５】
尚、ガイドピン８やガイドシュー５の取付孔９の形状は、丸型、三角形、四角形、多角形でも良く、要するに嵌合状態に固着できれば良いものである。
【００２６】
図５は、異なる実施形態に係わるガイドシュー５であって、裏面に形成した半貫通の取付孔９側にゴム等の防振板１１を嵌着し、この防振板１１の内面側に耐摩耗性のある合成樹脂等を接着剤等で固着したものである。このように二層にすることによって、エレベーターの昇降とともにガイド７がガイドレール１、１に沿って昇降する際に、このガイドシュー５に固着されている防振板１１によって、振動が吸収されるので音が静かである。
【００２７】
図６は、さらに異なる実施形態に係わるガイドシュー５であって、予め断面コ字形状に形成され、裏面側の三面に半貫通の取付孔９が設けられたものである。この取付孔９は、複数個設けられても良いものであって、形状もガイドピン８に合わせた形状に形成すれば良いものである。このような形状にすることで、一つのガイドシュー５でもってガイド本体３のスライド溝部４に挿着可能となるのでガタツキもなく取替えも簡便である。
【００２８】
【発明の効果】
上述の如く、本発明の請求項１記載のエレベーターのガイドシューの組付構造は、エレベーターの昇降空間に立設したガイドレールと該ガイドレールに摺動自在に乗りかごの外側面に固着されたガイド本体のスライド溝部にガイドシューを内装するとともにこのガイド本体の上下端部を押え板で固着して摺動自在としてなるガイドとからなるエレベーターのガイドシューの組付構造において、このガイド本体のスライド溝部の内壁面にガイドピンを突出し、このガイドピンに板状のガイドシューの裏面に形成した半貫通の取付孔とを嵌着しているので、ガイドピンに板状のガイドシューの裏面に形成した半貫通の取付孔とを嵌着することにより、ガイドシューと押え板との高さ間に隙間があっても、カタカタと騒音が発生しにくく、ガイドシューの寿命が長く、しかも取替えの簡便なものである。
【００２９】
本発明の請求項２記載のエレベーターのガイドシューの組付構造は、ガイドシューが断面コ字状のスライド溝部の内壁面に板状に形成され、この板体に設けられた半貫通の取付孔が形成されたガイドシューをガイドピンに各々独立した状態で嵌着しているので、一種類の長さ、厚さ、高さのガイドシューを形成しておけば、三面のいずれにも取り付けが可能となり、ガイドシューが一種類で済むので経済的である。また、取替えの簡便なものである。
【００３０】
本発明の請求項３記載のエレベーターのガイドシューの組付構造は、ガイドシューが断面コ字状のスライド溝部の内壁面にコ字状に形成され、このコ字状に設けられた半貫通の取付孔が裏面に形成されたガイドシューをガイドピンに嵌着しているので、この断面コ字状のガイドシューを用いることにより、一つのガイドシューでもって挿着可能となるのでガタツキもなく取替えも簡便である。
【００３１】
本発明の請求項４記載のエレベーターのガイドシューの組付構造は、ガイドシューの高さが、ガイド本体のスライド溝部の高さより短く形成され、このガイド本体の上下端部を押え板で固着するので、押え板によって簡単に蓋をすることができる。
【００３２】
本発明の請求項５記載のエレベーターのガイドシューの組付構造は、ガイドシューの材質が、合成樹脂製であるので、ガイドシューに摩擦力が発生しにくくスムーズなエレベータの昇降が可能となり、ガイドレールの摩耗も少ないものである。
【図面の簡単な説明】
【図１】本発明の一実施形態に係わるガイドシューの概略を示す分解斜視図である。
【図２】本発明の一実施例に係わるガイドシューの形状を示す要部の斜視図である。
【図３】本発明の図２のＸ−Ｘ縦断面図である。
【図４】本発明の図１の組立て状態におけるスライド溝部方向から見た平面図である。
【図５】本発明の異なる実施の形態に係わるガイドシューの縦断面図である。
【図６】本発明のさらに異なる実施の形態に係わるガイドシューの縦断面図である。
【図７】本発明のガイドシューとガイドレールとの取付け状態を示す概略の斜視図である。
【図８】従来のガイドシューの形状を示す要部の斜視図である。
【図９】従来のガイドシューの形状を示す要部の斜視図である。
【図１０】従来の図１０の組立て状態におけるスライド溝部方向から見た平面図である。
【符号の説明】
１      ガイドレール
２      乗りかご
３      ガイド本体
４      スライド溝部
５      ガイドシュー
６      押え板
７      ガイド
８      ガイドピン
９      取付孔
１０    ボルト
１１    防振板
【図１】
2004315213.tif 000003
【図２】
2004315213.tif 000004
【図３】
2004315213.tif 000005
【図４】
2004315213.tif 000006
【図５】
2004315213.tif 000007
【図６】
2004315213.tif 000008
【図７】
2004315213.tif 000009
【図８】
2004315213.tif 000010
【図９】
2004315213.tif 000011
【図１０】
2004315213.tif 000012